(57)【特許請求の範囲】
【請求項１】
室外側に向かって下方に傾斜した袖上枠と、この袖上枠の室内側に接合される袖縦枠と、この袖縦枠に取り付けられる縦押縁と、前記袖縦枠の上部側に接合される天枠とを備えた出窓であって、
前記袖上枠の傾斜した下端部と、前記縦押縁の水平な上端部と、前記袖縦枠とにより、側面略三角形の隙間が形成され、この隙間は、前記天枠に設けられた結露水排水用の排水流路部と前記縦押縁の裏側とを連通させる排水用部材で塞がれている出窓。
【請求項２】
前記天枠の排水流路部は、側面視で前記隙間と重なる位置まで室外側に延設されている請求項１に記載の出窓。
【請求項３】
前記排水用部材は、前記袖上枠の下端部に係止される係止手段を備えている請求項１または請求項２に記載の出窓。
【発明の詳細な説明】
【０００１】
【発明の属する技術分野】
本発明は、出窓に係り、特に室外側に向かって下方に傾斜した袖上枠と、この袖上枠の室内側に接合される袖縦枠と、この袖縦枠に取り付けられる縦押縁と、前記袖縦枠の上部側に接合される天枠とを備えた出窓に関する。
【０００２】
【背景技術】
従来より多用されている出窓の一つに、天面部分を室外側に向けて下方に傾斜させるとともに、この天面部分を、枠体内にガラス面材を嵌め込んで構成した、いわゆるトップライト出窓が知られている。
【０００３】
トップライト出窓での天面部分の傾斜は、袖部を構成する袖上枠を袖縦枠に対して傾斜させることで形成される。また、その袖部では、嵌め殺し窓が形成される場合が多く、使用されるガラス面材が一対の縦押縁（内押縁）で支持される。従って、縦押縁の上端は、袖上枠の傾斜に対応させるために、斜めに角度切断されている。
【０００４】
【発明が解決しようとする課題】
しかしながら、斜めに角度切断された縦押縁は、袖縦枠に取り付ける際にその上端が袖上枠の下端部側に容易に納まらず、施工性が悪いという問題がある。
このような問題を解決するためには、縦押縁の長さを若干短くし、袖上枠の下端部との間に数ミリの隙間を設けたり、縦押縁を２分割にして対応することも可能であるが、これでは、その部分の見栄えが悪く、内観が損なわれるという問題が生じる。
【０００５】
一方、トップライト出窓では、天面部分を構成する天枠に結露が生じた場合、天枠の下端部側に設けられた水平な結露溜まりに結露水が滞留するようになっており、滞留した結露水を専ら、自然乾燥によって蒸発させている。
しかし、結露が頻繁に生じる状態では、結露水の蒸発が間に合わないため、結露水が結露溜まりに溜まりきれなくなり、滴り落ちるという問題が生じる。
【０００６】
本発明の目的は、内観を損なわずに施工性を向上させることができ、かつ結露水を良好に排水できる出窓を提供することにある。
【０００７】
【課題を解決するための手段】
本発明の出窓は、室外側に向かって下方に傾斜した袖上枠と、この袖上枠の室内側に接合される袖縦枠と、この袖縦枠に取り付けられる縦押縁と、前記袖縦枠の上部側に接合される天枠とを備えた出窓であって、前記袖上枠の傾斜した下端部（傾斜に沿った下側の部分）と、前記縦押縁の水平な上端部と、前記袖縦枠とにより、側面略三角形の隙間が形成され、この隙間は、前記天枠に設けられた結露水排水用の排水流路部と前記縦押縁の裏側とを連通させる排水用部材で塞がれていることを特徴とする。
【０００８】
このような本発明によれば、縦押縁の上端部は、従来とは異なって角度切断されず、袖上枠の下端部との間に大きな三角形の隙間が形成される。このため、この隙間を利用して縦押縁が容易に納まるようになり、施工性が向上する。この際、そのような三角形の隙間は排水用部材で塞がれるから、隙間がそのままの状態で残ることはなく、内観が損なわれる心配がない。そして、天枠で生じた結露水は、排水流路部に集約された後に、排水用部材を通って縦押縁の裏面側に流れ、最終的に室外に排水されるので、天枠から結露水が滴り落ちたり、縦押縁等の表面を伝って落ちるおそれがなく、結露水が確実に処理される。
以上により、本発明の目的が達成される。
【０００９】
また、本発明の出窓では、前記天枠に、結露水排水用の排水流路部を設け、この排水流路部を、側面視で前記隙間と重なる位置まで室外側に延設させることが望ましい。
このような構成では、天枠の排水流路部が隙間の近傍まで延設されることになるから、簡単な形状の排水用部材で排水流路部と隙間とが連通するようになり、排水部材での排水途中で結露水がこぼれ落ち難く、排水性が良好になる。
【００１０】
そして、本発明の出窓では、前記排水用部材に、前記袖上枠の下端部に係止される係止手段を設けることが望ましい。
このような場合には、係止手段により排水用部材が袖上枠に係止されるので、隙間内に安定した状態で収容されるようになり、例えば、出窓に設けられた引違いの窓部で障子を開閉させても、その振動等で隙間から排水用部材が容易に抜け落ちたりせず、隙間の閉塞状態や結露水の排水性能が確実に維持される。
【００１１】
【発明の実施の形態】
以下、本発明の一実施形態を図面に基づいて説明する。
図１は、本実施形態の出窓１の縦断面図、図２は、出窓１の横断面図、図３は、図２におけるIII−III線断面図、図４は、図２の一部を拡大して示す横断面図、図５は、出窓１の要部を構成する構成部材を拡大して示す斜視図である。
【００１２】
出窓１は、アルミの押出形材を用いて構成されたいわゆるトップライト出窓であって、正面の窓部１０と、左右（図２）の袖部２０と、天井側の天面部３０と、地板４２が設けられた地板部４０とを備えており、窓部１０は引違い窓とされ、袖部２０は嵌め殺し窓とされ、天面部３０が嵌め殺しタイプのトップライトになっている。
【００１３】
具体的に、引違い窓とされた窓部１０は、窓上枠１１と、窓下枠１２と、左右の窓縦枠１３とを四周枠組みした窓枠１４を備え、窓枠１４内には左右に摺動して開閉される内外一対の障子１５が収容されている。なお、障子１５は、四周の框材で構成された框枠内にガラス面材（本実施形態では複層ガラス）が嵌め込まれた一般の障子と略同様であるため、ここでの詳細な説明を省略する。
【００１４】
嵌め殺し窓とされた袖部２０は、室外側の端部が前記窓縦枠１３の上端側に接合された袖上枠２１と、同じく室外側の端部が窓縦枠１３の下端側に接合された袖下枠２２（図３）と、これら袖上枠２１および袖下枠２２の室内側の端部間を上下に連結するように接合された袖縦枠２３とを備えている。
【００１５】
このような袖部２０において、袖上枠２１および袖下枠２２は、窓縦枠１３と袖縦枠２３とで挟まれるように配置され、自身を長手方向に貫通する通しボルト（不図示）を用いてそれら窓縦枠１３、袖縦枠２３に連結されている。そして、この袖上枠２１が、室側に向かって下方に傾斜している。
【００１６】
また、袖上枠２１、袖下枠２２、袖縦枠２３、および窓縦枠１３の各支持片２１Ａ，２２Ａ，２３Ａ、１３Ａ（図３，４）には、シール材２４を介してガラス面材２５（本実施形態では複層ガラス）の室外面が支持されている。一方、ガラス面材２５の室内面は、袖上枠２１および袖下枠２２の別な支持片２１Ｂ，２２Ｂ（共に図３）と、窓縦枠１３および袖縦枠２３にそれぞれ室内側から後付けされる縦押縁１６，２６とにより、同様なシール材２４を介して支持されている。
【００１７】
この際、袖縦枠２３に取り付けられた縦押縁２６（本発明に係る押縁）の上端部２７は水平とされ、従来とは異なって角度切断されていない。従って、この上端部２７と、袖上枠２１の傾斜した下端部２８（支持片２１Ｂの下端側）と、袖縦枠２３とにより、図１に示すように、側面略三角形の隙間２９が形成されている。この隙間２９は、後に詳説する排水用部材５０で塞がれている。
【００１８】
トップライトとされた天面部３０は、図１に示すように、左右の前記袖縦枠２３の上端間に架設されて上方からビス止めされた天枠３１と、透光性を有するガラス面材３２（本実施形態では複層ガラス）とを備え、このガラス面材３２を通して採光が得られるようになっている。
【００１９】
このような天面部３０において、天枠３１の下端には、表面部３３に生じた結露水を集約して排水する排水流路部３４が設けられている。この排水流路部３４は、天枠３１の長手方向に沿って連続して設けられており、図５に示すように、長手方向の端部３５が袖縦枠２３の側面２３Ｂに接する位置まで達し、かつ図１に示すように、見込み方向の室外側の端部３６が、側面視で前述の隙間２９と重なる位置まで延設されている。なお、天枠３１の端部は袖縦枠２３の側面２３Ｂに対してシート状のシール材（図示略）を介して当接されており、排水流路部３４においては、袖縦枠２３との当接部分から結露水が漏れ出す心配はない。
【００２０】
また、ガラス面材３２は、窓上枠１１および天枠３１にそれぞれ設けられた保持溝１１Ａ，３１Ａ（図１）内に嵌め込まれているとともに、室内面（下面）の左右の辺縁が袖上枠２１に設けられた支持片２１Ｃ（図３）で支持されている。従って、このようなガラス面材３２も、袖上枠２１と同様にやはり、室外側に向かって下方に傾斜している。このことにより、全体に傾斜したトップライトが形成されている。
【００２１】
地板部４０は、両端が左右の袖縦枠２３の下端間に架設されて下方からビス止めされた底枠４１（図１）と、この底枠４１の上端に載置された地板４２とを備え、地板４２の前縁部分および側縁部分が、窓下枠１２および袖下枠２２の各保持溝１２Ａ，２２Ｃ（図１，３）内に収容され、ビス止めされている。これらの底枠４１、窓下枠１２、および袖下枠２２で囲まれた領域には断熱材４３が配置され、各枠１２，２２，４１の下面側が底板４４で閉塞されている。
【００２２】
以下には、図１、図５に基づき、排水用部材５０について説明する。なお、図２ないし図４においては、排水用部材５０を二点鎖線で示してある。
排水用部材５０は、合成樹脂製であって、隙間２９内に収容される収容部５１と、収容部５１に一体に形成され、かつ天枠３１の端部に向けて突設された排水案内部５２とを備えている。
【００２３】
収容部５１は、隙間２９の形状に対応した楔状とされており、全体が縦押縁２６の上端部２７の略全域を覆うとともに、その上端部２７上に載置されている。収容部５１の上部には、上方に向けて係止片（係止手段）５３が突設されている。係止片５３は、収容部５１が隙間２９内に収容される途中では、袖上枠２１の下端部２８との接触により弾性変形して倒れ込んだ状態とされ、完全に収容されると、もとの突出高さに復帰し、下端部２８に穿設された係止孔２８Ａ（図３）に係止される。
【００２４】
排水案内部５２は、その突端側が天枠３１の排水流路部３４のうち、袖縦枠２３から室外側にはみ出した部分、すなわち、側面視で隙間２９と重なる部分（図１）に密着している。また、排水案内部５２の背面５２Ａ（室内側の面）は、袖縦枠２３に密着している。
【００２５】
排水案内部５２には、排水流路部３４の下面３４Ａに密着した部分から縦押縁２６の裏側（内観視されない側）まで連通した直線状の排水溝５４が設けられており、排水流路部３４が袖縦枠２３の側面２３Ｂまでとされ、袖上枠２１まで完全に延びていない本実施形態のような場合でも、排水流路部３４から滴り落ちる結露水が縦押縁２６の裏側に導かれるようになっている。
【００２６】
さらに、排水案内部５２には、一端が排水流路部３４の立上面３４Ｂに密着し、他端が袖上枠２１（図５では図示略）の側面に当接した突片５５が設けられており、結露水の量が多い場合でも、排水溝５４から漏れる心配がない。
【００２７】
このような排水用部材５０は、袖部２０や天面部３０が組み立てられ、縦押縁２６等も取り付けられた段階で配置される。配置にあたっては、収容部５１を三角形の隙間２９に挿入し、挿入完了と当時に係止片５３を袖上枠２１に係止させればよい。
【００２８】
このような本実施形態によれば、以下のような効果がある。
(１) 出窓１においては、袖部２０で用いられる縦押縁２６の上端部２７が角度切断されておらず、水平に切断されているので、袖上枠２１および袖縦枠２３の間で大きな三角形の隙間２９を形成することができる。このため、この隙間２９を利用して、縦押縁２６を袖縦枠２３に容易かつ迅速に挿入して取り付けることができ、施工性を向上させることができる。
【００２９】
(２) そして、隙間２９は排水用部材５０によって塞がれるから、隙間２９がそのまま残ることはなく、この部分の見栄えや意匠性を良好にでき、内観を優れたものにできる。
【００３０】
(３) また、排水用部材５０により、天枠３１の排水流路部３４内に集約された結露水を、縦押縁２６の裏側に導くことができ、結露水を下方に落として袖下枠２２に穿設された排水孔等から室外に確実に排水できる。従って、結露水が天枠３１から滴り落ちたり、袖縦枠２３の側面２３Ｂを伝い落ちるの防止でき、十分な排水性能を得ることができるとともに、結露水が室内側から見えないことで、内観もさらに良好にできる。
【００３１】
(４) 天枠３１の排水流路部３４は、側面視で隙間２９と重なる位置まで室外側に延出しているため、排水用部材５０としては、排水案内部５２に排水溝５４を直線状に設けるだけでよく、入り組んだ形状の排水溝を設ける必要がない。このため、排水用部材５０の構造を簡単にできるうえ、結露水をこぼれることなくスムーズに排水でき、排水性も向上させることができる。
【００３２】
(５) 排水用部材５０の収容部５１には、袖上枠２１に係止される係止片５３が設けられているため、排水用部材５０が隙間２９内から脱落するのを防止でき、窓部１０での障子１５の開閉により振動が生じた場合でも、排水用部材５０を隙間２９内に確実に収容させておくことができ、隙間２９の閉塞と結露水の排水とを確実に行える。
【００３３】
(６) しかも、排水用部材５０の収容部５１は、縦押縁２６の上端部２７の全域を覆うように当該上端部２７上に載置されているから、安定した収容状態を実現でき、この点からも、排水用部材５０を外れ難くできる。
【００３４】
(７) 排水用部材５０の排水案内部５２や、これに設けられた突片５５は、天枠３１の排水流路部３４に密着しているので、排水流路部３４からの結露水を漏らさずに排水できる。特に、突片５５が排水流路部３４の立上面３４Ｂに密着していることで、多量の結露水にも十分に対応できる。
【００３５】
なお、本発明は、前記実施形態に限定されるものではない。
例えば、前記実施形態では、排水用部材５０の係止手段として、袖上枠２１に係止される係止片５３が設けられていたが、係止手段としてはこれに限らず、縦押縁２６の裏側に係止可能な係止片等であってもよく、また、その形状も、弾性変形可能な片状に限らず、被係止部分の形状等を勘案して任意に決められてよい。なお、本発明では、このような係止手段は必須の構成要件ではなく、係止手段がない場合でも本発明に含まれる。ただし、係止手段を設けることで前述した(５)の効果が得られるので、そうするが好ましい。
【００３６】
また、排水用部材５０の排水案内部５２の形状等も、天枠３１の排水流路部３４の端部形状等を勘案して任意に決められてよく、前記実施形態で示した形状に限定されない。例えば、排水流路部３４が、側面視で隙間２９に重なる位置まで室外側に延出しておらず、排水流路部３４の端部全体が袖縦枠２３の側面２３Ｂに当接している場合では、排水流路部３４に切欠部を設けて排水孔とし、この排水孔と縦押縁２６の裏側とを連通させるように排水案内部５２を設ければよい。
【００３７】
前記実施形態では、窓部１０として引違い窓が形成されていたが、縦押縁２６とは直接関係のない窓部１０の形態は任意であり、引違い窓の他、嵌め殺し窓、辷り出し窓、開き窓など、あらゆる窓種であってよい。
【００３８】
【発明の効果】
以上に述べたように、本発明の出窓によれば、内観を損なわずに施工性を向上させることができ、かつ結露水を良好に排水できるという効果がある。
【図面の簡単な説明】
【図１】本発明の一実施形態に係る出窓を示す縦断面図である。
【図２】前記実施形態の横断面図である。
【図３】図２におけるIII−III線断面図である。
【図４】図２の一部を拡大して示す横断面図である。
【図５】前記実施形態の要部を構成する構成部材を拡大して示す斜視図である。
【符号の説明】
１…出窓、２１…袖上枠、２３…袖縦枠、２６…縦押縁、２７…上端部、２８…下端部、２９…隙間、３１…天枠、３４…排水流路部、５０…排水用部材、５３…係止手段である係止片。
【図１】
0003677243.tif 000002
【図２】
0003677243.tif 000003
【図３】
0003677243.tif 000004
【図４】
0003677243.tif 000005
【図５】
0003677243.tif 000006